(57)【要約】【課題】色々なバッグに変化し、なおかつひったくり防止になることを目指すと共に遊泳に使え、万一水難救助の場合身近に有効な物が有れば二次災害を防ぐことが出来る。又必要な物を入れ、持っていったバッグが現地で別の用途にに使えれば持ち運びにも便利であり場所も取らない。【解決手段】バックルとベルトの位置を、色々なバッグに変化可能にする組み合わせでバックルを結合出来る位置に工夫した、なおかつベルトを直接自転車に付け締めるのでひったくり防止になる。その場合ベルトをベルト通しに通すことでねじれを防ぐ、又水難救助の場合バッグにペットボトル等浮力の大きな物を入れ、バッグの数と組み合わせにより身体に流れ止めのベルトと共に装着するか、流れ止めのベルトを取りつけ持っていくか、投げ入れる。【選択図】　　　図１
0003100095.tif 000002
【実用新案登録請求の範囲】
【請求項１】
バッグ本体上部に密閉可能な開口部を持ち下部両端に雄雌バックル付きのベルト（バッグ本体付近に自在回転金具付き）２本とバッグ本体両側にベルト通しを付け、両端に雄雌バックル２組ずつ付いたベルトの組み合わせによりショルダーバッグ、ウエストバッグ、ひったくり防止自転車バッグに使える機能を有す。バッグ本体両側にベルト通しを付ける事によって自転車バッグ等の上部方向にベルトを巻いて結合するときベルトがねじれたりバッグ本体から外れないようにする効果がある。
【請求項２】
請求項１のバッグに（ペットボトル、発泡スチロール、風船等）浮力の大きな物を入れ請求項１の両端に雄雌バックル２組ずつ付いたベルトを流れ止めとして使い、バッグの数と組み合わせにより首、胴、腕に付けなお輪型に繋ぎ浮き輪状に、並列に繋ぎ筏状にし遊泳、水難救助補助具としての使用方法。
【考案の詳細な説明】
【０００１】
【考案の属する技術分野】
本考案は単純なバッグでありながら町の中でもアウトドアでも使え、自転車にベルトで装着することでひったくり防止にもなり、なおかつペットボトル等浮力の大きな物を入れバッグの数に応じ色々繋ぎ組み合わせ、水泳の練習、水遊びそして万一溺れた人を助けに行くときもこれを投げてやるか持っていくか装着して行く多機能バッグである。
【０００２】
【従来の技術】
従来多機能バッグは操作が複雑であり内部に仕切りが多くてまとまった形の物を入れる者にとっては不要であり邪魔で有り又自転車かごに放り込み移動する場合ひったくりにも会いやすかった。又ベルトの結合方向は上の一方向であった。
【０００３】
従来浮き輪、水泳練習補助具等はそれのみの用途しかなく持ち運びにも場所を取って不便であった。
【０００４】
【考案が解決しようとする課題】
簡単に色々なバッグに変化しなおかつひったくり防止になる事を目指す。
【０００５】
暖かい季節になると水辺での事故が増え又救助に行った人の二次災害の例も有りとっさの時何も持たずに行かず何か身近の物で持っていく物が有れば、もしくは投げる物が有ればと。又必要な物を（衣類、飲料水等）入れ持っていったバッグが現地で別の用途（水遊び、水難救助補助具）に使えれば持ち運びにも便利であり場所も取らない、水難は季節、場所を選ばず急に起こるので身近にある物で安全度が高まるのなら安心である。
【０００６】
【課題を解決するための手段】
バックルとベルトの位置を、色々なバッグに変化可能にする組み合わせでバックルを結合出来る位置に工夫した、なおかつベルトを直接自転車に付け締めるのでひったくり防止になる。その場合ベルトをベルト通しに通すことでねじれを防ぐ。
【０００７】
丈夫で濡れてもよい素材で作り内部は仕切りも無く、密閉可能な開口部を大きく取り浮力の大きな物（ペットボトル、発泡スチロール、風船等）を入れれるようにし、身体に流れ止めのベルトと共に装着するか、持っていくか、投げ入れる。
【０００８】
【考案の実施の形態】
以下本考案の実施の形態を図１〜図９に基づいて説明する。
【０００９】
図１は丈夫で濡れてもよい素材で筒状に作り、側面に２本のベルト通しを付け中に浮力の大きなペットボトル、発泡スチロール等入れやすいように大きな開口部を持ち密閉できるよう面ファスナ、ファスナ等を付け、ベルトの根元で回転しどちらが向いてもねじれずバックルを装着できるよう自在回転金具を取り付け装着のできるベルト２本を付けた。
【００１０】
図２は陸上でバッグとして使うとき自在回転金具で向を整えベルト通しを通す、ベルト通しを通す事によりベルトのねじれと外れる事を防止する。図３（ａ）（ｂ）図５（ｂ）は各々自転車本体、ハンドル、流れ止めベルト及びズボンのベルトに２ａと３ｂ、３ａと２ｂのバックルを組み合わせ装着した図である。
【００１１】
図５（ａ）は１１の流れ止めベルトとの２ｃと１のバッグの３ａ、同じく３ｃと２ｂ、３ｄと２ａ、２ｄと３ｂのバックルを結合しショルダーバッグとして使用した図である。
【００１２】
図６（ａ）はバッグ２個の中へ各々空のペットボトル等入れ密閉しバッグ２個を例えばバッグ１ａとバッグ１ｂとし、１ａの３ｂと、１ｂの２ａを１ａの２ｂと１ｂの３ａのバックルを結合し必要に応じ６を引くと締まるので調整し、２本の流れ止めベルト２本を例えば流れ止めベルト１１ａと流れ止めベルト１１ｂとし、１１ａの２ｃと１ｂの３ｂ、１１ａの３ｄと１ａの２ａ、１１ｂの２ｃと１ａの３ａ、１１ｂの３ｄと１ｂの２ｂのバックルを結合し股間の下を通し流れ止めベルトの２ｄを引くと締まるので調整する。なお流れ止めベルトは脇の下を通してもよく図６（ｂ）の様にバッグ１ａの２ａと１ｂの３ｂ、バッグ１ａの３ａと１ｂの２ｂバッグ１ａの３ｂとバッグ１ｂの２ａバッグ１ａの２ｂとバッグ１ｂの３ａのバックルを結合し流れ止めベルトをベルトに通して股間か脇の下に回せばよい。背中側も同じ
【００１３】
図７（ａ）はバッグの中へ各々空のペットボトル等入れ密閉しバッグを４本胴体部分に巻いた図である。ベルトは各々２ａと３ｂ、３ａと２ｂを繋げた物である
【００１４】
図７（ｂ）はバッグの中へ各々空のペットボトル等入れ密閉しバッグをベルトで両腕に巻いた図である。流れ止めベルトは腕に巻いたベルトに通して脇の下に巻く、なお６を引くと締まるので調整するとよい。
【０００１５】
【考案の効果】
上述したように本考案のバッグはバックルの結合組み合わせにより簡単に色々なバッグに変化し、なおかつベルトを直接自転車に付け締めるのでひったくり防止になる。
【００１６】
又必要な物を（衣類、飲料水等）入れ持っていったバッグが現地で別の用途（水遊び、水難救助補助具）に使えれば持ち運びにも便利であり場所も取らないし安心であり現地で消化して空いたスペースに濡れた衣類等を入れて持ち帰ることが出来る
【図面の簡単な説明】
【図１】本考案のバッグの斜視図であであり（ａ）は本体（ｂ）は流れ止めベルト。
【図２】本考案の陸上での使用のバッグの形である。
【図３】本考案のバッグの自転車での使用であり（ａ）は本体に（ｂ）はハンドルに取り付けた図である。
【図４】子供がリュックとしの使用であり（ａ）は横に（ｂ）は縦に使用した図である。
【図５】本考案のバッグの（ａ）はショルダーとしての使用であり（ｂ）はウエストバッグとしての使用である。
【図６】本考案のバッグの遊泳、水難救助での首への取りつけで（ａ）は横に使用し（ｂ）は縦の使用である。なお後から見ても装着方法は同じである。
【図７】本考案のバッグを（ａ）は腹に４本巻いて装着し（ｂ）は腕に装着してる図である用途は遊泳、水難救助で有る。
【図８】本考案のバッグを（ａ）は腕に装着して泳いでる図で（ｂ）は子供がバタ足の練習に使用してる図である。
【図９】本考案のバッグを並列につないで筏状にした図である。
【符号の説明】
１バッグ本体
２ａ、２ｂ、２ｃ、２ｄ雌型バックル
３ａ、３ｂ、３ｃ、３ｄ雄型バックル
４ベルト
５長さ調節バックル
６Ｄ環
７面ファスナ
８バッグの開口部
９ベルト通し
１０自在回転金具
１１流れ止めベルト
【図１】
0003100095.tif 000003
【図２】
0003100095.tif 000004
【図３】
0003100095.tif 000005
【図４】
0003100095.tif 000006
【図５】
0003100095.tif 000007
【図６】
0003100095.tif 000008
【図７】
0003100095.tif 000009
【図８】
0003100095.tif 000010
【図９】
0003100095.tif 000011
【手続補正書】
【提出日】平成15年9月18日(2003.9.18)
【手続補正１】
【補正対象書類名】明細書
【補正対象項目名】実用新案登録請求の範囲
【補正方法】変更
【補正の内容】
【実用新案登録請求の範囲】
【請求項１】
バッグ本体上部に密閉可能な開口部を持ち、前記バッグ本体の下部両端付近に自在回転金具を付け、前記自在回転金具の先に雄雌バックル付きのベルト２本を付け前記バッグ本体両側にベルト通しを付け、両端に雄雌バックル１組ずつ付いた前記ベルトとは異なる他のベルトの組み合わせにより、ウエストバッグ、ひったくり防止自転車バッグ等になる多機能バッグ。
【請求項２】
請求項１のバッグにペットボトル、発泡スチロール、風船等浮力の大きな物を入れ、遊泳、水難救助補助具になる多機能バッグ。